(57)【要約】【課題】  画像形成後の用紙を貼り合わせる際に、時間がかかること、作業ミスなどによる貼り合わせ位置のずれ、間違った貼り合わせを防止する。【解決手段】  一つの画像を分割後第一と第二の用紙に画像形成し、貼付けによる合成を追加した後処理装置によって行うことにより擬似的に倍のサイズの画像形成を行うことで実現する。【選択図】        図４
2006138917.tif 000002
【特許請求の範囲】
【請求項１】
紙に画像を形成する画像形成装置とその後処理装置からなる画像形成システムであって、
一つの画像を二分割して画像形成する為の画像分割処理手段と、
画像形成後の第一の用紙を折る為の折手段と、
第一と第二の用紙の位置を合わせる為の位置合わせ手段と、
前記位置合わせ手段により決められた所定の位置で第一と第二の用紙を貼付ける貼付け手段と、
を備え、一つの画像を分割後第一と第二の用紙に画像形成して貼付けによる合成を行うことにより擬似的に倍のサイズの画像形成を行うことを特徴とする画像形成システム。
【請求項２】
前記貼付け手段は糊付けをすることを特徴とする請求項１記載の画像形成システム。
【請求項３】
紙に画像を形成する画像形成装置とその後処理装置からなる画像形成システムであって、
一つの画像を二分割して画像形成する為の画像分割処理手段と、
画像形成後の第一の用紙を折る為の折手段と、
画像形成後の第二の用紙の表面と裏面を反転させる為の反転手段と、
第一と第二の用紙の位置を合わせる為の位置合わせ手段と、
前記位置合わせ手段により決められた所定の位置で第一と第二の用紙を貼付ける貼付け手段と、
を備え、一つの画像を分割後第一と第二の用紙に画像形成して貼付けによる合成を行うことにより擬似的に倍のサイズの画像形成を行うことを特徴とする画像形成システム。
【請求項４】
前記貼付け手段は糊付けをすることを特徴とする請求項３記載の画像形成システム。
【発明の詳細な説明】
【技術分野】
【０００１】
本発明は画像形成装置と、後処理装置、その制御方法に関する。
【背景技術】
【０００２】
画像形成装置による画像形成は装置の機械的構成により通紙可能である最大用紙サイズが決まり、それ以上のサイズの画像を生成することは物理的に不可能である。
【０００３】
図１１は従来の画像形成装置と後処理装置を示している。原稿読み取り装置２により読み込まれた画像は画像形成装置１により用紙上に画像形成されて後処理装置３に排出される。後処理装置３では折り曲げやステープル等の処理を行うことができる。
【０００４】
この従来構成では装置の奥行き寸法によって通紙可能な用紙の最大サイズが制限される為、最大サイズを越える大きさの用紙への画像形成を行う為には、より大きなサイズの用紙を通紙できる装置を使用する、または元の大サイズ画像を分割処理し、複数枚の用紙に分割して画像形成した後、人手により貼り合わせるなどの手法がとる以外方法が無かった。
【０００５】
例えば、拡大連写により形成された複数枚の画像を最終的に貼り合せる為の手法についての提案がなされている（例えば、特許文献１参照）。
【特許文献１】特開平０５−１８３７２９号公報
【発明の開示】
【発明が解決しようとする課題】
【０００６】
しかしながら、この従来例のように画像形成後の用紙を人手によって貼り合わせる方法では時間がかかり、作業ミスなどにより貼り合せ位置がずれる、間違った貼り合せになるなどの問題があった。
【０００７】
また、最大通紙サイズの大きな画像形成装置を使用する為に新たな装置を購入するとなると現状装置よりも高価で大型な装置となり、事実上難しい場合がほとんどである。
【０００８】
本発明は、上記問題を解決するために、画像形成装置の最大搬送可能用紙サイズよりも大きなサイズの用紙への画像形成と同等の結果を全自動で、且つ大型の画像形成装置本体を購入するよりも安価に得られることを目的としている。
【課題を解決するための手段】
【０００９】
上記課題を解決し、目的を達成するために、本発明は、紙に画像を形成する画像形成装置とその後処理装置からなる画像形成システムであって、一つの画像を二分割して画像形成する為の画像分割処理手段と、画像形成後の第一の用紙を折る為の折手段と、第一と第二の用紙の位置を合わせる為の位置合わせ手段と、前記位置合わせ手段により決められた所定の位置で第一と第二の用紙を貼付ける貼付け手段と、を備え、一つの画像を分割後第一と第二の用紙に画像形成して貼付けによる合成を行うことにより擬似的に倍のサイズの画像形成を行うことを特徴とする。
【００１０】
また、本発明は、紙に画像を形成する画像形成装置とその後処理装置からなる画像形成システムであって、一つの画像を二分割して画像形成する為の画像分割処理手段と、画像形成後の第一の用紙を折る為の折手段と、画像形成後の第二の用紙の表面と裏面を反転させる為の反転手段と、第一と第二の用紙の位置を合わせる為の位置合わせ手段と、前記位置合わせ手段により決められた所定の位置で第一と第二の用紙を貼付ける貼付け手段と、を備え、一つの画像を分割後第一と第二の用紙に画像形成して貼付けによる合成を行うことにより擬似的に倍のサイズの画像形成を行うことを特徴とする。
【発明の効果】
【００１１】
本発明によれば、画像形成装置の最大搬送用紙サイズよりも大きなサイズの画像形成を、全自動で且つ安価に実現することが可能となる。
【発明を実施するための最良の形態】
【００１２】
以下、本発明の各実施の形態について、図１〜７を用いて説明する。
【実施例１】
【００１３】
まず、本発明の第１の実施の形態について、図１〜４を用いて説明する。図１は本発明の第１の実施形態に係る後処理装置の構成を示す図である。図２は本発明の第１の実施形態に係る画像形成装置及び後処理装置の全体図の上視図である。図３は本発明の第１の実施形態に係る画像形成装置及び後処理装置の構成を示す全体図である。
【００１４】
図４は本発明の第１の実施形態に係る画像形成装置と後処理装置によって作られる画像形成された用紙を示す図である。図５は本発明の第１の実施形態に係る元画像を示す図である。図６は本発明の第１の実施形態に係る元画像の分割と結合を示す図である。図７は本発明の第１の実施形態に係る画像サイズと用紙サイズの関係を示す図である。
【００１５】
本実施例では、最大通紙サイズがＡ３である画像形成装置を使用して後処理の工夫により最終的にＡ２サイズと同等の画像形成を行う構成について説明する。
【００１６】
図３は本実施例の構成を示す全体図であり、従来例を示す図１１とは後処理装置４が異なっている。
【００１７】
図２は図３を上から見た図を示しており、後処理装置４は奥行きが画像形成装置１と同じＡ３縦幅であるのに対して、幅がＡ２横幅となっているという特徴があることを示している。
【００１８】
図１を使用して本実施例の後処理装置構成について説明する。本図面は後処理装置４を図３で言うところの右側から見た様子を示している。
【００１９】
まず、画像形成装置１により排出された画像形成済み用紙は最上部に搬送される。この後、用紙反転機構４ａを通過するが、本実施例では二枚目画像のみこの反転機構４ａを使用し、一枚目画像は反転せずに通過させる。
【００２０】
用紙の反転機構４ａはごく一般的な構成で問題無く、動作や構成の詳細な説明は省略する。
【００２１】
その後用紙を折る為の機構４ｂを通るが、本実施例では一枚目の用紙を所定の位置で二つ折りにし、二枚目の用紙の折りは行われない。用紙を折る機構についても一般的構成である為特に詳細な説明は行わない。
【００２２】
折り機構４ｂを通過した用紙は、最後に一枚目と二枚目の用紙を貼り合せる為の糊付け部４ｃで貼り合わせられ、排紙トレイに排出される。４ｃ−１は用紙の位置決めを行う部材を示しており、折り曲げられた一枚目の用紙と、二枚目の用紙はこの部分で糊付けの為の位置合わせが行われる。
【００２３】
４ｃ−２は糊付け用ローラーと押さえローラーを示しており、折り曲げられた一枚目の用紙が位置決め部材４ｃ−１によって位置決めされると、糊代部分に糊を塗布する。
【００２４】
その後二枚目の用紙が一枚目の上に積載され、再度位置決め部材４ｃ−１によって二枚の用紙の位置合わせを行い、今度は押さえ用のローラーで先程糊を塗布した箇所の押さえを行って糊付けが完了する。
【００２５】
つまり、画像形成装置１の紙搬送方向と垂直に交わった方向でこれらの処理を行うことで、奥行き方向のスペースが無い問題を解決している。
【００２６】
このプロセスによって作られる用紙の詳細について以下に説明する。
【００２７】
本実施例では、一枚目の用紙の端部を折り曲げ、曲げられた部分を糊代として二枚目の用紙と貼り合せる。
【００２８】
図４にその様子を示す。Ａ３サイズの一枚目の用紙には表面にＡ２サイズの最終画像の半分の画像が形成され、端部が折り曲げられている。
【００２９】
これに対して同じくＡ３サイズの二枚目の用紙には裏面に残りの半分の画像が形成されており、この二枚を図示したように貼り合せると最終的に展開後擬似的なＡ２用紙と形成された画像を得ることができる。
【００３０】
次に画像サイズとその分割方法について説明を行う。まず、最終的に形成したいＡ２画像を図５に示し、これを分割、結合する様子を図６に示す。最終的に貼り合わされた擬似Ａ２用紙は糊代部分だけ重なりがある為、横方向の寸法が糊代幅αだけ短いものとなる。
【００３１】
また、糊代部分には画像を形成できないので重なって隠れてしまう部分には画像が形成されないよう分割を行う必要がある。
【００３２】
図７に画像分割の考え方を示す。最終画像の横幅はＡ２横の幅マイナス糊代幅αである。最終画像が用紙からはみ出してしまわないよう、元画像に対してこの比率で画像をわずかではあるが縮小する。
【００３３】
この時の倍率をβとすると、以下のようになる。
β＝（Ａ２横幅−α）／Ａ２横幅
一枚目にＡの画像、二枚目にＢの画像を形成するように分割するとした場合、糊代部分を考慮して丁度半分ではなく、分割時に以下の補正をする必要がある。本実施例では一枚目の用紙の端部を折り曲げて裏面を糊代としており、これに対して二枚目の用紙の表面が重なる為、二枚目の画像を一枚目よりも重なり分だけ小さくする必要がある。
【００３４】
画像Ａの幅をＡとすると、
Ａ＝（Ａ２横幅×β）／２＋α／２
元画像に対してこの位置で画像をＡとＢに分割した後にβ倍に画像を縮小し、一枚目は用紙の先端基準で画像形成を開始、二枚目は用紙端部よりα／２ずれた位置から画像形成開始すれば最終的に画像は用紙のセンターにはみ出ることなく形成される。
【００３５】
また、画像形成装置１において分割画像を形成する際、最終的な結合を考慮して画像の向きを決める必要がある。
【００３６】
本実施例では、分割した画像に対して一枚目は９０度回転、二枚目は２７０度回転させる必要があり、二枚目に関しては後処理装置４内の用紙反転機構４ｂで反転させる必要もある。
【００３７】
以上の処理を行うことにより、仕上がった用紙を展開すると、Ａ３までしか通紙できなかった画像形成装置を用いてＡ２用紙への画像形成が全自動で擬似的に可能となる。
【実施例２】
【００３８】
本発明の第２の実施の形態について、図８〜１０を用いて説明する。
【００３９】
図８は本発明の第２の実施形態に係る画像形成装置と後処理装置によって作られる画像形成された用紙を示す図である。図９は本発明の第２の実施形態に係る元画像の分割と結合を示す図である。図１０は本発明の第２の実施形態に係る画像サイズと用紙サイズの関係を示す図である。
【００４０】
本実施例では、一枚目の画像をＺ折りすることにより、二枚目の画像を反転せずに実施例１と同等の結果が得られる方法を示す。
【００４１】
図８にその様子を示す。Ａ３サイズの一枚目の用紙には表面にＡ２サイズの最終画像の半分の画像が形成され、Ｚ折りされている。この時Ｚ折りの一面は糊代とすることを前提として糊付けに必要十分な幅αで折り曲げられている。
【００４２】
これに対して同じくＡ３サイズの二枚目の用紙には表面に残りの半分の画像が形成されており、この二枚を図示したように貼り合せると最終的に展開後擬似的なＡ２用紙と形成された画像を得ることができる。
【００４３】
次に画像サイズとその分割方法について説明を行う。最終的に形成したいＡ２画像は実施例１と同じく図５であり、これを分割、結合する様子を図９に示す。実施例１と同じく、最終的に貼り合わされた擬似Ａ２用紙は糊代部分だけ重なりがある為、横方向の寸法が糊代幅αだけ短いものとなり、糊代部分には画像を形成できないので重なって隠れてしまう部分には画像が形成されないよう分割を行う必要がある。
【００４４】
図１０に画像分割の考え方を示す。最終画像の横幅はＡ２横の幅マイナス糊代幅αである。最終画像が用紙からはみ出してしまわないよう、元画像に対してこの比率で画像をわずかではあるが縮小する。
【００４５】
この時の倍率をβとすると、以下のようになる。
β＝（Ａ２横幅−α）／Ａ２横幅
一枚目にＡの画像、二枚目にＢの画像を形成するように分割するとした場合、糊代部分を考慮して丁度半分ではなく、分割時に以下の補正をする必要がある。本実施例では一枚目の用紙をＺ折りして端部の曲げの表面を糊代としており、これに対して二枚目の用紙の裏面が重なる為、一枚目の画像を二枚目よりも重なり分だけ小さくする必要がある。
【００４６】
画像Ａの幅をＡとすると、
Ａ＝（Ａ２横幅×β）／２−α／２
元画像に対してこの位置で画像をＡとＢに分割した後にβ倍に画像を縮小し、それぞれの用紙の先端基準で画像形成を開始すれば最終的に画像は用紙のセンターにはみ出ることなく形成される。
【００４７】
また、画像形成装置１において分割画像を形成する際、最終的な結合を考慮して画像の向きを決める必要がある。
【００４８】
本実施例では、分割した画像に対して一枚目は２７０度回転、二枚目は９０度回転させる必要がある。本実施例では二枚目に関して後処理装置４内の用紙反転機構４ｂで反転させる必要はない。
【００４９】
以上の処理を行うことにより、仕上がった用紙を展開すると、Ａ３までしか通紙できなかった画像形成装置を用いてＡ２用紙への画像形成が全自動で擬似的に可能となる。
【図面の簡単な説明】
【００５０】
【図１】本発明の第１の実施形態に係る後処理装置の構成を示す図である。
【図２】本発明の第１の実施形態に係る画像形成装置及び後処理装置の全体図の上視図である。
【図３】本発明の第１の実施形態に係る画像形成装置及び後処理装置の構成を示す全体図である。
【図４】本発明の第１の実施形態に係る画像形成装置と後処理装置によって作られる画像形成された用紙を示す図である。
【図５】本発明の第１の実施形態に係る元画像を示す図である。
【図６】本発明の第１の実施形態に係る元画像の分割と結合を示す図である。
【図７】本発明の第１の実施形態に係る画像サイズと用紙サイズの関係を示す図である。
【図８】本発明の第２の実施形態に係る画像形成装置と後処理装置によって作られる画像形成された用紙を示す図である。
【図９】本発明の第２の実施形態に係る元画像の分割と結合を示す図である。
【図１０】本発明の第２の実施形態に係る画像サイズと用紙サイズの関係を示す図である。
【図１１】従来の画像形成装置及び後処理装置示す図である。
【符号の説明】
【００５１】
１    画像形成装置
２    原稿読み取り装置
３    後処理装置
４    後処理装置
４ａ  用紙反転機構
４ｂ  用紙を折る為の機構
４ｃ  用紙を貼り合せる為の糊付け部
【図１】
2006138917.tif 000003
【図２】
2006138917.tif 000004
【図３】
2006138917.tif 000005
【図４】
2006138917.tif 000006
【図５】
2006138917.tif 000007
【図６】
2006138917.tif 000008
【図７】
2006138917.tif 000009
【図８】
2006138917.tif 000010
【図９】
2006138917.tif 000011
【図１０】
2006138917.tif 000012
【図１１】
2006138917.tif 000013